(57)【要約】【課題】ベッドの上に仰臥させた患者を、患者の負担なしで、所望の角度に傾斜させてエックス線撮影を行うことが出来るエックス線診療台を得ること。【解決手段】患者を載置する天板の床面からの高さを変更できる診療台において、パンタグラフ機構等の上下駆動手段により上下動する上面板に天板の一端を回転自在に枢支して天板を上面板に対して回転できるようにすると共に上面板に、天板駆動棒の一端を枢支してこれを上面板に対して回転できるように構成し、天板駆動棒の他方端を天板にリンク結合する。そして、上面板に取り付けられた回転機構で天板駆動棒を押し引きすることによって、これを回転せしめ、更に天板を回転せしめる。【選択図】図１
2006255090.tif 000002
【特許請求の範囲】
【請求項１】
患者を載置する天板の床面からの高さを変更できる診療台において、上下駆動手段により上下動される上面板の一端に回転自在に天板を取り付けると共に、上面板に一方端が枢支された天板駆動棒の他方端を天板に枢支し、上面板に取り付けられた駆動源により天板駆動棒を回転させて天板を回転させる回転機構を設けたことを特徴とするエックス線撮影を行う診療台。
【請求項２】
上記上下駆動手段はパンタグラフ機構であることを特徴とする請求項１に記載のエックス線撮影を行う診療台。
【請求項３】
上記天板を回転させる回転機構において、天板駆動棒の長さは、天板の縦長方向の長さより短いことを特徴とする請求項１に記載のエックス線撮影を行う診療台。
【請求項４】
上記天板を回転させる回転機構において、駆動源が天板駆動棒を回転させる支点は、天板駆動棒の両先端の間であることを特徴とする請求項１に記載のエックス線撮影を行う診療台。
【請求項５】
上記天板を回転させる回転機構を天板の両側に設けたことを特徴とする請求項１に記載のエックス線撮影を行う診療台。
【発明の詳細な説明】
【技術分野】
【０００１】
本発明は、エックス線撮影を行う診療台に関する。
【背景技術】
【０００２】
エックス線を用いて、患者の患部を撮影してその撮影結果を治療に役立てることは古くから行われている。通常、立設された柱に沿って垂直に取り付けられたブッキーの前に患者を立たせ、その前面からエックス線を患者に浴びせ、体内を貫通したエックス線画像をブッキーの中に収納されたエックス線フィルムに感光させて、患者の患部エックス線画像を得る。この他、患者をベッドの上に仰臥させ、患者の上部から患者にエックス線を浴びせると共に、患者の患部下側に配置したブッキーに患者の患部エックス線像を形成することも行われる。
【特許文献１】特開２００４−０３３６４６号公報
【発明の開示】
【発明が解決しようとする課題】
【０００３】
患者の中には、疾病の状態が悪く、直立してブッキーの前に立てないような状態の患者もある。また、患者の患部を見極める場合、エックス線画像は、患者が傾斜状態或いは直立状態でのものが要求される場合が起きる。しかしながら、患者を歩かせてブッキーの前に立たせることが不可能であれば、このような要求画像は得られない。
本願発明は、このような従来の不都合を解消しようとするもので、その目的は、ベッドの上に仰臥させた患者を、患者の負担なしで、所望の角度に傾斜させてエックス線撮影を行うことが出来るエックス線診療台を得ることにある。
【課題を解決するための手段】
【０００４】
本願の請求項１に記載の発明は、患者を載置する天板の床面からの高さを変更できる診療台において、上下駆動手段により上下動される上面板の一端に回転自在に天板を取り付けると共に、上面板に一方端が枢支された天板駆動棒の他方端を天板に枢支し、上面板に取り付けられた駆動源により天板駆動棒を回転させて天板を回転させる回転機構を設けたことを特徴とするエックス線撮影を行う診療台を提供する。
本願の請求項２に記載の発明は、請求項１に記載の発明に加えて、上記上下駆動手段はパンタグラフ機構であることを特徴とするエックス線撮影を行う診療台を提供する。
本願の請求項３に記載の発明は、請求項１に記載の発明に加えて、上記天板を回転させる回転機構において、天板駆動棒の長さは、天板の縦長方向の長さより短いことを特徴とするエックス線撮影を行う診療台を提供する。
本願の請求項４に記載の発明は、請求項１に記載の発明に加えて、上記天板を回転させる回転機構において、駆動源が天板駆動棒を回転させる支点は、天板駆動棒の両先端の間であることを特徴とするエックス線撮影を行う診療台を提供する。
本願の請求項５に記載の発明は、請求項１に記載の発明に加えて、上記天板を回転させる回転機構を天板の両側に設けたことを特徴とするエックス線撮影を行う診療台を提供する。
【発明の効果】
【０００５】
本発明は、上下駆動手段により上下動される上面板の一端に回転自在に天板を取り付けると共に、上面板に一方端が枢支された天板駆動棒の他方端を天板に枢支し、上面板に取り付けられた駆動源により天板駆動棒を回転させて天板を回転させる回転機構を設けたので、天板を直接駆動源で回転させるものと比べて、各々のリンクを構成する部材の長さを短くすることができ、診療台全体をコンパクト化することが出来る。
【発明を実施するための最良の形態】
【０００６】
パンタグラフ機構等の上下駆動手段により上下動する上面板に天板の一端を回転自在に枢支して天板を上面板に対して回転できるようにすると共に上面板に、天板駆動棒の一端を枢支してこれを上面板に対して回転できるように構成し、天板駆動棒の他方端を天板にリンク結合する。そして、上面板に取り付けられた回転機構で天板駆動棒を押し引きすることによって、これを回転せしめ、更に天板を回転せしめる。
【実施例】
【０００７】
次に本発明の一実施例を図を用いて詳細に説明する。なお、説明の煩雑を避けるため、これらの図には、エックス線撮影装置を除いてある。
図１は、本発明にかかるエックス線診療台を図式的に表した正面図である。図において、１は床面２上に置かれた診療台基板である。該診療台基板１は、アジャスター３により床面２に対する水平面方向を調整できる。診療台基板１の上面には、パンタグラフ機構４が形成されている。パンタグラフ機構４は、上面板５を上下動させる機構で、腕木６と７がエックス字状に組み合わされて、枢支点Ｐで枢支される。腕木６の一方端は診療台基板１にヒンジ８により、回転自在に枢支されている。腕木７の一方端には車輪が取り付けられ、この車輪はレール９に嵌め込まれて診療台基板１上を水平方向に移動できる。腕木６の他方端には車輪が取り付けられ、この車輪は上面板５の裏面側に設けられたレール１０に嵌め込まれて、上面板５の下面を水平方向に移動できる。腕木７の他方端は、上面板５の下面側にヒンジ１１により枢支される。このように構成された腕木６，７は、診療台基板１の両側に２組配置され、それらの枢支点Ｐは、図に示されない結合棒で連結され、その中央から上に延びる駆動棒１２の先端と、診療台基板１との間には、駆動機構１３が取り付けられる。この駆動機構１３は、モータ１４を回転させることにより、駆動機構の長さを長くしたり、また短くしたりすることが出来る。そして、この駆動機構１３を駆動することにより、パンタグラフ機構４を折り畳んだり伸張したりして、上面板５を上下動させる。
【０００８】
上面板５の左端には大型のヒンジ１４がその両端に設けられ、このヒンジ１５には、天板１６が回転自在に取り付けられている。天板１６上には、患者１７を仰臥させることが出来、天板１６が図１矢印方向に回転した時、フットレスト１８が患者の滑落を防止する。天板１６は、回転機構１９により回転されるが、次にこの回転機構１９の構成について述べる。
上面板５の左下面側には、支え板２０が設けられる。この支え板２０には、可成りの負荷がかかるので、極めて頑丈な鉄板で構成される。支え板２０の一方端には、ヒンジ２１が取り付けられ、このヒンジ２１には、天板駆動棒２２が回転自在に延びており、その他方端は天板１６の中央付近まで延びている。その先端は、短いリンク棒２３を介して、天板１６下面のヒンジ２４に連結している。天板駆動棒２２の中ほどには、リンク棒２５が固定されており、その先端と支え板２０の他方端との間には、駆動源２６が介在する。駆動源２６はモータ２７を含み、モータ２７を回転させることにより、駆動源２６の長さを長くしたり、また短くしたりすることが出来る。
【０００９】
次に、本発明の動作について説明する。
図２は、天板１６を水平に倒した状態を示す。図２に示す状態から、パンタグラフ機構４を動作させて、天板１６を最下段まで降下させた状態で、患者１７を天板１６上に仰臥させる。再びパンタグラフ機構４を動作させて、天板１６を適当な高さまで上昇させた後、駆動源２６を動作させる。この動作は、モータ２７の駆動から始まる。モータ２７を回転させて駆動源２６の長さを短くすると、これが天板駆動棒２２は、ヒンジ２１を中心として、反時計方向に回転する。結果、天板駆動棒２２は、リンク棒２３を介して天板１６を突き上げる。すると、天板１６もヒンジ１５を中心として反時計方向に回転する。この状態を継続すれば、駆動源２６のモータ２７は回転を続け、駆動源２６が更に短くなると、天板１６は更に反時計方向に回転し、図１の状態に達した後、天板１６は図３に示すように、垂直に立ち上がる。この状態に至ると、天板１６は、図に示していないドグを踏み、モータ２７の回転を止めて天板にブレーキを掛けてロックする。
【００１０】
上記の状態から、ブレーキロックを外し、モータ２７を逆回転して駆動源２６を長くしてゆくと、天板１６は、図３の状態から図１の状態を経由して図２の状態になる。なお、患者を所望の角度に止め置きたい時は、モータの回転２７を止めて天板１６の動きをロックする。
また、上記の実施例では、回転機構１９を天板１９の一側面に一組設けているが、回転バランスが悪い場合には、回転機構１９を天板の両側面に２組設けても良い。更に、従来のように、天板１６の内側にエックス線フィルムを収納したブッキーを装着することも出来る。
以上、本発明を上述の実施の形態により説明したが、本発明の主旨の範囲内で種々の変形や応用が可能であり、これらの変形や応用を本発明の範囲から排除するものではない。
【産業上の利用可能性】
【００１１】
本発明をエックス線撮影を行う診療台に適用した実施例を示したが、このような適用の外、一般の病院の入院用ベット、肢体不自由な高齢者の介護ベット等に適用できる。
【図面の簡単な説明】
【００１２】
【図１】図１は、本発明のエックス線撮影を行う診療台の正面図である。
【図２】図２は、天板の最下段位置を示す正面図である。
【図３】図３は、天板が垂直に立ち上がった状態を示す正面図である。
【符号の説明】
【００１３】
１・・・診療台基板
２・・・床面
３・・・アジャスター
４・・・パンタグラフ機構
５・・・上面板
６・・・腕木
７・・・腕木
８・・・ヒンジ
９・・・レール
１０・・・レール
１１・・・ヒンジ
１２・・・駆動棒
１３・・・駆動機構
１４・・・モータ
１５・・・ヒンジ
１６・・・天板
１７・・・患者
１８・・・フットレスト
１９・・・回転機構
２０・・・支え板
２１・・・ヒンジ
２２・・・天板駆動棒
２３・・・リンク棒
２４・・・ヒンジ
２５・・・リンク棒
２６・・・駆動源
２７・・・モータ
【図１】
2006255090.tif 000003
【図２】
2006255090.tif 000004
【図３】
2006255090.tif 000005